(57)【要約】【課題】棟瓦を野地板に固定するための棟垂木と棟補強金具とを一体化した棟瓦支持材を提供する。【解決手段】棟瓦を釘体を介して連結支持する棟瓦支持部と同棟瓦支持部の下部に連設した略山型形状の裾部とにより逆Ｙ字形に形成するとともに、屋根の棟部の野地板に沿って長手状に載置して、前記裾部下面の左右をそれぞれ釘体により前記野地板に連結固定するようにし、前記裾部上面の左右にそれぞれ桟瓦を配設して固定する棟瓦支持材であって、前記棟瓦支持部及び左右の裾部の上面それぞれに、釘体の打込みを案内するとともに、打込個所を規制する溝部を長手方向に沿って形成したことを特徴とする棟瓦支持材とすることとした。【選択図】図１
0003123763.tif 000002
【実用新案登録請求の範囲】
【請求項１】
棟瓦を釘体を介して連結支持する棟瓦支持部と同棟瓦支持部の下部に連設した略山型形
状の裾部とにより逆Ｙ字形に形成するとともに、屋根の棟部の野地板に沿って長手状に載
置して、前記裾部下面の左右をそれぞれ釘体により前記野地板に連結固定するようにし、
前記裾部上面の左右にそれぞれ桟瓦を配設して固定する棟瓦支持材であって、前記棟瓦支
持部及び左右の裾部の上面それぞれに、釘体の打込みを案内するとともに、打込個所を規
制する溝部を長手方向に沿って形成したことを特徴とする棟瓦支持材。
【請求項２】
前記裾部と前記野地板との間に介設して、前記野地板の勾配に対応可能としたスペーサ
を具備することを特徴とする請求項１記載の棟瓦支持材。
【請求項３】
前記棟瓦支持部と前記裾部とを発泡樹脂により一体成形したことを特徴とする請求項１
又は請求項２記載の棟瓦支持材。
【請求項４】
前記裾部の下面に、前記スペーサを保持するスペーサ保持部を形成したことを特徴とす
る請求項１〜３のいずれか一項に記載の棟瓦支持材。
【請求項５】
前記スペーサ保持部を、少なくとも前記スペーサの一部を嵌合可能な凹条としたことを
特徴とする請求項４記載の棟瓦支持材。
【請求項６】
前記スペーサを、前記野地板の勾配に対応する傾斜面を有する略山型形状に形成し、同
スペーサの上面に前記スペーサ保持部に嵌合する凸条部を形成したことを特徴とする請求
項４又は５に記載の棟瓦支持材。
【請求項７】
前記スペーサを、前記スペーサ保持部内に装着可能とした可撓性を有する小片により構
成したことを特徴とする請求項４又は５に記載の棟瓦支持材。
【考案の詳細な説明】
【技術分野】
【０００１】
本考案は、棟瓦を野地板に固定するための棟垂木と棟補強金具の両機能を兼ね備えて一体化した棟瓦支持材に関するものである。
【背景技術】
【０００２】
従来、屋根の棟部構造としては、図１０に示すように、棟瓦５３を棟垂木５２に固定する構造が一般的であるが、前記棟垂木５２を棟部Ａ’の野地板５４上に配設する場合、図示するように、棟部Ａ’の野地板５４上に棟補強金具５１を取り付け、同棟補強金具５１を介して配設するようにしていた。
【０００３】
かかる従来の棟部構造の施工手順としては、まず、屋根の棟部Ａ’の野地板５４に一定間隔を保持して棟補強金具５１を数箇所に配設し、同棟補強金具５１に棟垂木５２を渡して、棟補強金具５１と棟垂木５２とを固定する。
【０００４】
次に、こうして固定された棟補強金具５１と棟垂木５２とを覆うように、また、野地板
５４に固定された最上部に位置する桟瓦５５にもかかるように漆喰５６を施工する。なお
、漆喰５６の代わりにモルタルを用いる場合もあるし、更にはこれらの代わりに防水テー
プなどを貼設する場合もある。
【０００５】
更に、棟部Ａ’の野地板５４の真上に棟瓦５３の頂部がくるように、漆喰５６の上に棟
瓦５３を配設して、各々の棟瓦５３の頂部から棟垂木の内部までネジを挿入するか固定釘
を打ち込んで棟瓦５３を野地板５４に固定するものである。なお、５７は桟木である。
【考案の開示】
【考案が解決しようとする課題】
【０００６】
しかし、上記した従来の棟部構造では、棟垂木５２を配設するために別体の棟補強金具
５１を用いていたために、上述したように、先ず、棟補強金具５１を一旦野地板５４に固
定し、その後に、棟垂木５２を棟補強金具５１に取付けなければならない。したがって、
どうしても手間がかかるとともに、施工に時間がかかってしまうために、コストも高くつ
いてしまっていた。
【０００７】
また、棟瓦の頂部から棟垂木の内部までネジを挿入するか固定釘を打ち込んで棟瓦を固
定しているが、時間と共に木材である棟垂木が腐敗してしまうため、ネジ又は固定釘でし
っかりと固定することができなくなり、耐久性が悪かった。
【課題を解決するための手段】
【０００８】
そこで、上記問題点を解決すべく、請求項１記載の本考案では、棟瓦を釘体を介して連結支持する棟瓦支持部と同棟瓦支持部の下部に連設した略山型形状の裾部とにより逆Ｙ字形に形成するとともに、屋根の棟部の野地板に沿って長手状に載置して、前記裾部下面の左右をそれぞれ釘体により前記野地板に連結固定するようにし、前記裾部上面の左右にそれぞれ桟瓦を配設して固定する棟瓦支持材であって、前記棟瓦支持部及び左右の裾部の上
面それぞれに、釘体の打込みを案内するとともに、打込個所を規制する溝部を長手方向に
沿って形成したことを特徴とする棟瓦支持材を提供せんとするものである。
【０００９】
また、請求項２記載の本考案では、前記裾部と前記野地板との間に介設して、前記野地板の勾配に対応可能としたスペーサを具備することを特徴とする棟瓦支持材を提供せんとするものである。
【００１０】
また、請求項３記載の本考案では、前記棟瓦支持部と前記裾部とを発泡樹脂により一体
成形したことを特徴とする棟瓦支持材を提供せんとするものである。
【００１１】
また、請求項４記載の本考案では、前記裾部の下面に、前記スペーサを保持するスペー
サ保持部を形成したことを特徴とする棟瓦支持材を提供せんとするものである。
【００１２】
また、請求項５記載の本考案では、前記スペーサ保持部を、少なくとも前記スペーサの
一部を嵌合可能な凹条としたことを特徴とする棟瓦支持材を提供せんとするものである。
【００１３】
また、請求項６の本考案では、前記スペーサを、前記野地板の勾配に対応する傾斜面を
有する略山型形状に形成し、同スペーサの上面に前記スペーサ保持部に嵌合する凸条部を
形成したことを特徴とする棟瓦支持材を提供せんとするものである。
【００１４】
更に、請求項７の本考案では、前記スペーサを、前記スペーサ保持部内に装着可能とし
た可撓性を有する小片により構成したことを特徴とする棟瓦支持材を提供せんとするもの
である。
【考案の効果】
【００１５】
請求項１に記載の本考案によれば、棟瓦を釘体を介して連結支持する棟瓦支持部と同棟
瓦支持部の下部に連設した略山型形状の裾部とにより逆Ｙ字形に形成するとともに、屋根
の棟部の野地板に沿って長手状に載置して、前記裾部下面の左右をそれぞれ釘体により前
記野地板に連結固定するようにし、前記裾部上面の左右にそれぞれ桟瓦を配設して固定す
る棟瓦支持材であって、前記棟瓦支持部及び左右の裾部の上面それぞれに、釘体の打込み
を案内するとともに、打込個所を規制する溝部を長手方向に沿って形成したことを特徴と
する棟瓦支持材としたことにより、棟瓦支持材を屋根に固定する釘体が滑ったりすること
なく、確実に所望する箇所に打ち込むことができ、作業性を著しく向上させる効果を有す
るとともに、屋根の棟部における構造は、野地板と棟瓦との間に棟瓦支持材を介設したも
のへと単純化され、これにともなって施工も棟瓦支持材を野地板に固定するだけで下地が
完成し、これに棟瓦を固定することによって棟瓦を野地板に留め付けることができるため
施工に要する手間を削減し施工時間を短縮できる効果を有する。
【００１６】
請求項２に記載の本考案によれば、棟瓦支持材の前記裾部と棟部の野地板との間に介設
して棟部の野地板の勾配に対応可能としたスペーサを具備したので、いろいろな勾配の屋
根に適用できる効果を有する。請求項３に記載の本考案によれば、棟瓦支持部と裾部とを
発泡樹脂により一体成形したことにより、雨水や結露水等にあっても腐食することがなく
、また、酸性やアルカリ性に強いため、最近問題が深刻化してきた酸性雨等にかかわる使
用環境にも耐え、更に、保釘力は木材よりも大きく、台風災害時等による飛散防止効果も
高く耐久性に富む。更に、木材と変わらぬ加工性と、釘打ち，ビス留めを可能とし、また
、吸水率が低いため長期間の在庫にも耐え、その間の反りや曲がり等の品質のバラツキが
なく高精度施工が可能であるため作業性が良い。更に、きわめて軽いので屋根の重量を削
減することによって住宅の構造体への負担を軽減し、地震等の揺れに対しても有利となる
。
【００１７】
請求項４に記載の本考案によれば、棟瓦支持材の前記裾部の下面に、前記スペーサを保
持するスペーサ保持部を形成したことにより、スペーサを保持しやすくして定位置に固定
させる効果を有する。
【００１８】
請求項５に記載の本考案によれば、棟瓦支持材に形成した前記スペーサ保持部を、少な
くともスペーサの一部を嵌合可能な凹条としたことにより、どのような大きさ、形状のスペーサも保持できる効果を有するとともに、棟瓦支持材の容積を削減してコストを削減す
る効果も有する。
【００１９】
請求項６に記載の本考案によれば、前記スペーサを、棟部の野地板の勾配に対応する傾
斜面を有する略山型形状に形成し、同スペーサの上面にスペーサ保持部に嵌合する凸条部
を形成したことにより、どんな急勾配の屋根にも適応可能とするとともに、前記棟瓦支持
部と前記裾部とからなる棟瓦支持体とスペーサを定位置で嵌合させてこの状態を保持一体
化して、棟瓦支持体を山型形状のスペーサ全体で安定して支持する効果を有する。
【００２０】
請求項７に記載の本考案によれば、前記スペーサをスペーサ保持部内に装着可能とした
可撓性を有する小片で構成したことにより、大幅なコスト削減、施工の簡略化を可能とす
る効果を有する。
【考案を実施するための最良の形態】
【００２１】
本考案に係る棟瓦支持材は、従来、棟瓦を屋根に固定するために用いられていた棟垂木
と棟補強金具の両機能を兼ね備え一体化したことにより、施工に要する手間が削減され施
工時間を短縮することができ、また、低コスト化を実現するものであり、しかも、棟瓦支
持材を屋根に固定する釘体が滑ったりすることなく、確実に所望する箇所に打ち込むこと
ができ、作業性を著しく向上させたものである。
【００２２】
すなわち、本実施の形態に係る棟瓦支持材は、棟瓦を釘体を介して連結支持する棟瓦支
持部と、同棟瓦支持部の下部に連設した略山型形状の裾部とにより逆Ｙ字形に形成し、屋
根の棟部に沿って長手状に載置して、前記裾部を釘体により棟部に連結固定するようにし
たものであって、しかも、前記棟瓦支持部及び左右の裾部の上面それぞれに、釘体の打込
みを案内するとともに、打込個所を規制する溝部を長手方向に沿って形成している。
【００２３】
前記溝部は、棟瓦支持材の素材が発泡樹脂のため硬く、また、摩擦係数も小さいため、
釘体を打つ際に滑りやすく不安定であり、釘体を打ち込むべきポイントに確実に位置決め
できず作業が困難であるところを、溝部において釘先を充分に保持安定させることによっ
て作業性を向上させている。
【００２４】
かかる棟瓦支持材を用いて実際に棟部を施工するにあたっては、棟部の野地板５４の勾
配に沿わせて棟瓦支持材の裾部を跨設し、裾部の左右の溝部において一定間隔を保持して
数箇所に釘体としての固定用釘を打ち込み棟瓦支持材を野地板に固定する。
【００２５】
このときに、前述したように、左右の裾部の上面それぞれに、釘体の打込みを案内する
とともに、打込個所を規制する溝部を長手方向に沿って形成していることから、固定用釘
が滑ったりすることなく、確実に所望する箇所に打ち込むことができ、作業性が著しく向
上する。
【００２６】
次に、固定された棟瓦支持材の左右裾部の上面にそれぞれ桟瓦を配設して固定し、同桟
瓦にもかかるように漆喰又はモルタルを施工する。
【００２７】
次に、野地板の棟部の真上に棟瓦の頂部がくるように、漆喰又はモルタルの上に棟瓦を
配設して、各々の棟瓦の頂部から棟瓦支持材の内部まで瓦固定用釘を打ち込んで棟瓦を野
地板に固定する。
【００２８】
この場合も、棟瓦支持部の上面には溝部を形成しているために、固定用釘を棟瓦支持部
に確実に打ち込むことができる。
【００２９】
このように、本考案に係る棟瓦支持材を用いることによって、屋根の棟部における構造
は、野地板と棟瓦との間に棟瓦支持材を介設したものへと単純化され、これにともなって
施工も棟瓦支持材を野地板に固定するだけで下地が完成し、これに棟瓦を固定することに
よって棟瓦を野地板に留め付けることができるとともに、釘体を打ち込むべきポイントに
確実に位置決めできず作業が困難であるところを、溝部において釘先を充分に保持安定さ
せることによって作業性を向上させることができる。
【００３０】
また、本棟瓦支持材は棟瓦支持部と裾部とを発泡樹脂により一体成形したことにより、
耐久性、加工性、保釘力に富むとともに、非常に安価であり、低コスト化を実現すること
ができる。
【００３１】
さらに、本棟瓦支持材は、様々な勾配の屋根にも対応可能とするために、他の実施の形
態として、次のような構成とすることもできる。
【００３２】
すなわち、上述した棟瓦支持材の裾部と屋根の棟部の野地板５４との間に介設して、棟
部の野地板５４の勾配に対応可能としたスペーサを具備する構成とするものである。
【００３３】
また、棟瓦支持材の裾部の下面には、前記スペーサを保持するスペーサ保持部を形成す
ることができ、同スペーサ保持部を設けることにより、スペーサを前記裾部と棟部の野地
板５４との間に安定保持することができる。
【００３４】
また、同スペーサ保持部は、少なくともスペーサの一部を嵌合可能に形成するものとす
ることが好ましい。
【００３５】
すなわち、スペーサは、棟瓦支持材の裾部と野地板との間に介設することによって様々
な勾配の屋根にも対応可能とするものなので、その大きさ、形状等は自由である。
【００３６】
例えば、スペーサの左右部においてそれぞれ端部へ向かうほど厚みを変化させることに
よって、スペーサの上面の勾配は棟瓦支持材の裾部における下面の勾配と等しく、スペー
サの下面の勾配は屋根の棟部における勾配と等しくするものなどが考えられる。
【００３７】
例えば、棟部の勾配に対応する傾斜面を有する略山型形状に形成し、かかるスペーサの
上面に、前記スペーサ保持部に嵌合する凸条部を形成するとよい。
【００３８】
従って、どのような急勾配の屋根にも適応可能とするとともに、棟瓦支持体を山型形状
のスペーサ全体で安定して支持し、また、スペーサの上面にスペーサ保持部に嵌合する凸
条部を形成したことにより、棟瓦支持体とスペーサを定位置で嵌合させるとともにこの状
態を保持し、棟瓦支持体とスペーサを一体化できる効果も有する。
【００３９】
あるいは、スペーサ保持部内に装着可能とした可撓性を有する小片により構成したもの
であっても良い。
【００４０】
例えば、スペーサを可撓性を有する小片により構成する例として、合成樹脂製のチュー
ブ状のものを輪切りにしたものなどでもよく、かかる構成とすることで大幅なコスト削減
、施工の簡略化を可能とすることができる。
【００４１】
以上説明してきたように、棟瓦支持材としてスペーサを具備する構成とし、さらに棟瓦
支持材の裾部の下面には、スペーサを保持するスペーサ保持部を形成したことにより、本
棟瓦支持材は様々な勾配の屋根にも対応可能となり、しかも、どのような大きさ、形状の
スペーサであっても低位置に簡単に取付け保持することができる。
【００４２】
本実施の形態では、屋根の勾配に合わせたスペーサを用意することで、いかなる勾配の
屋根にも対応することができ、しかも、施工に関しては棟瓦支持体とスペーサを同時に野
地板に固定するだけで下地が完成し、これに棟瓦を固定することによって棟瓦を野地板に
留め付けることができ、先の実施の形態同様に、やはり施工に要する手間が削減され施工
時間を短縮できる。
（実施例１）
以下、本考案に係る棟瓦支持材１の一実施例を図面に基づき説明する。
【００４３】
図１は本考案に係る棟瓦支持材の斜視図であり、図２は本考案に係る棟瓦支持材の断面
図であり、図３は本考案に係る棟瓦支持材を用いた屋根の棟部における構造を示す説明図
である。
【００４４】
棟瓦支持材１は図１及び図３に示すように、棟瓦１１を釘体としての瓦固定用釘１３を
介して連結支持する棟瓦支持部２と、同棟瓦支持部２の下部に連設した略山型形状の裾部
３とにより逆Ｙ字形に形成している。
【００４５】
すなわち、前記棟瓦支持部２は、頂部面を緩やかな円弧状に湾曲させるとともに、下方
にむけて漸次拡幅させた形状としている。
【００４６】
また、裾部３は前記棟瓦支持部２の下部から左右方向に所定の傾きで斜め下方に伸延し
ており、同裾部３を屋根の棟部Ａに沿って長手状に配設可能としている。また、裾部３の
伸延端部の上側隅部は角を落として丸く仕上げることにより、強度を増すとともに、棟瓦
支持材１の容積を削減しコストダウンを実現している。
【００４７】
また、裾部３の下面には同裾部３の下面中央を長手方向に沿って半円弧状に刳り貫いて
中央係合部４aを形成し、更に、裾部３の下面の左右側においては、それぞれ矩形状の切欠きを長手方向に沿って形成して左右係合部４ｂ，４ｂを形成している。
【００４８】
前記中央係合部４ａは、棟瓦支持材１の裾部３の下面における勾配と屋根の棟部Ａの野
地板５４における勾配とにわずかな差異が生じる場合、同中央係合部４ａの半円弧状に刳
り貫かれた大きな空間によって前記差異を吸収することができ、本棟瓦支持材１を前記屋
根の棟部Ａの野地板５４に支障なく適用可能としている。
【００４９】
なお、左右係合部４ｂ，４ｂの機能面については実施例２で詳述するが、かかる各左右
係合部４ｂ，４ｂ及び前記中央係合部４aの容積の分、棟瓦支持材1の容積を削減してコス
トダウンが実現可能となっている。
【００５０】
本実施例に係る棟瓦支持材１は、棟瓦支持部と裾部とを発泡樹脂により一体成形してお
り、すなわち、棟瓦支持部と裾部とを発泡樹脂であるハイインパクトポリスチレンを押出
成形しているので製造が容易であり、しかも雨水や結露水等にあっても腐食することがな
く、また、酸性やアルカリ性に強いため、最近問題が深刻化してきた酸性雨等にかかわる
使用環境にも耐え、更に、保釘力は木材の2.5倍以上に相当し、台風災害時等による飛散防止効果も高く耐久性に富む。
【００５１】
また、従来、棟垂木として用いられていた木材と変わらぬ加工性と、釘打ち，ビス留め
を可能とし、また、吸水率が低いため長期間の在庫にも耐え、その間の反りや曲がり等の
品質のバラツキがなく高精度施工が可能であるため作業性が良い。更に、きわめて軽いの
で屋根の重量を削減することによって住宅の構造体への負担を軽減し、地震等の揺れに対しても有利である。
【００５２】
上記構成において、本考案の特徴となるのは、前記棟瓦支持部２及び左右の裾部３の上
面それぞれに、固定用釘１２の打込みを案内するとともに、打込個所を規制する溝部を長
手方向に沿って形成したことにある。なお、本実施例では、本考案の要部となる前記各溝
部を、棟瓦支持部２に設けたものを支持部側溝部６、裾部３に設けたものを裾部側溝部５
として区別して説明する。
【００５３】
すなわち、本実施例では、上記支持部側溝部６を、棟瓦支持部２の頂部面の略中央に形
成するとともに、上記裾部側溝部５を裾部３の上面で前記伸延端部側から所定距離の位置
に形成している。
【００５４】
かかる裾部側溝部５及び支持部側溝部６を設けたことにより、本棟瓦支持材１を屋根に
固定する固定用釘１２、瓦固定用釘１３が滑ったりすることなく、確実に所望する箇所に
打ち込むことができ、作業性が著しく向上させることができる。
【００５５】
この棟瓦支持材１を用いた実際の施工例として、その一例を図３を用いて説明する。
【００５６】
まず、棟瓦支持材１を屋根の棟部Ａの野地板５４に跨設して、同棟瓦支持材１の裾部３
に形成された左右の裾部側溝部５に沿って一定間隔ごとに固定用釘１２を数箇所打ち込ん
で棟瓦支持材１を野地板１４に固定する。なお、この時に固定用釘１２に代えてネジを用
いても構わない。
【００５７】
このときに、左右の裾部３の上面それぞれに、固定用釘１２の打込みを案内するととも
に、打込個所を規制する裾部側溝部５を裾部３の長手方向に沿って形成していることから
、固定用釘１２が滑ったりすることなく、確実に所望する箇所に打ち込むことができ、作
業性が著しく向上する。
【００５８】
こうして固定された棟瓦支持材１の裾部３における左右の上面にそれぞれ桟瓦１５を配
設して固定し、同桟瓦１５にもかかるように漆喰又はモルタル１０を施工する。なお、漆
喰又はモルタル１０の代わりに防水テープ等を貼設する場合もある。
【００５９】
次に、屋根の棟部Ａの野地板５４の真上に棟瓦１１の頂部がくるように、漆喰又はモル
タル１０の上に棟瓦１１を配設して、各々の棟瓦１１の頂部から棟瓦支持材１の内部まで
瓦固定用釘１３を打ち込んで棟瓦１１を野地板１４に固定する。このとき、棟瓦支持部２
の上面には支持部側溝部６を形成しているために、瓦固定用釘１３を棟瓦支持部２に確実
に打ち込むことができる。なお、この場合についても、瓦固定用釘１３に代えてネジを用
いてもよい。
【００６０】
このように、本考案に係る棟瓦支持材１を用いて屋根の棟部Ａの施工を行えば、屋根の
棟部Ａにおける構造は、野地板１４と棟瓦１１との間に棟瓦支持材１を介設したものへと
単純化され、これにともなって施工も棟瓦支持材１を野地板１４に固定するだけで下地が
完成し、これに棟瓦１１を固定することによって棟瓦１１を野地板１４に留め付けること
ができ、施工に要する手間を削減した結果、施工時間を短縮できる。
【００６１】
しかも、裾部側溝部５及び支持部側溝部６を設けたことにより、固定用釘１２、瓦固定
用釘１３を打ち込むべきポイントに確実に位置決めできず作業が困難であるところを、溝
部において釘先を充分に保持安定させることによって作業性を向上させることができる。
【００６２】
なお、本実施例においては、棟瓦支持部２の頂部面に形成した支持部側溝部６、及び左右の裾部３，３の上面それぞれに設けた裾部側溝部５，５を半円弧状に刳り貫いたものとしたが、必ずしもかかる形状に限定する必要はなく、例えば裾部側溝部５であれば、図２
に示すように、裾部３の長手方向に沿って凸部１６を形成し、同凸部１６の上手側に形成
されたくぼみ１７を裾部側溝部５としてもよい。
【００６３】
かかる構成によっても凸部１６に釘先を当接させることによって釘を打ち込み場所に容
易に誘導し、くぼみ１７によって打ち込み場所に釘先を保持安定させて固定用釘１２の打
ち込み作業を効率良く行なえる。
【００６４】
（実施例２）
次に、本考案に係る棟瓦支持材の他の実施例として、様々な勾配の屋根に対応可能とし
た棟瓦支持材１’について説明する。なお、使用する符号は、実施例１と同一構成要素に
ついては同一符号を付した。
【００６５】
本実施例に係る棟瓦支持材１’は、図４、図５に示すように、棟瓦１１を瓦固定用釘１
３を介して連結支持する棟瓦支持部２と、同棟瓦支持部２の下部に連設した略山型形状の
裾部３とにより逆Ｙ字形に形成した先の実施例１と同一構成の棟瓦支持材１に、同棟瓦支
持材１と野地板１４との間に介設し、棟部Aの野地板５４の左右に形成された勾配に対応可能としたスペーサ８とを付設したものである。
【００６６】
本実施例におけるスペーサ８は、裾部３と棟部Ａの野地板５４との間に介設して様々な
勾配の屋根にも対応可能とするものであり、スペーサ８の上面の勾配は裾部３における下
面の勾配と等しく、スペーサ８の下面の勾配は棟部Ａの野地板５４における勾配と等しく
して略山型形状に形成している。
【００６７】
そして、前述した実施例１で説明したように、棟瓦支持材１には中央係合部４aと左右係合部４ｂ，４ｂとを形成しており、これらは、上記スペーサ８を保持安定させるための
スペーサ保持部として機能している。
【００６８】
すなわち、これらスペーサ保持部としての係合部４ａ，４ｂ，４ｂと嵌合すべく、スペ
ーサ８の上面には、凸条部である主凸部９’ａと副凸部９’ｂ，９’ｂとをそれぞれ形成
して、スペーサ８を前記裾部３と棟部Ａの野地板５４との間に安定保持することができる
ようにしている。
【００６９】
更に、スペーサ８の左右伸延端部の上側隅部は、棟瓦支持材１の裾部３同様に角を落と
して丸く仕上げることにより、強度を増すとともに、スペーサ８の容積を削減しコストダ
ウンを実現している。
【００７０】
かかる棟瓦支持材１’を用いて棟部Ａを施工した一例を図５に示す。
【００７１】
スペーサ８を具備する棟瓦支持材１’を用いて棟部Ａを実際に施工する場合、まず、屋
根の棟部Ａの野地板５４の勾配に合ったスペーサ８を選択し、同スペーサ８を棟瓦支持本
体１の前記各係合部４ａ，４ｂ，４ｂに嵌合して係合し、その状態で屋根の棟部Ａの野地
板５４に跨設するものであり、その後の作業については、実施例１と同様である。
【００７２】
すなわち、棟瓦支持本体１’の裾部３に形成された左右の裾部側溝部５において一定間
隔を保持して固定用釘１２を数箇所に打ち込んで棟瓦支持材１とスペーサ８を同時に野地
板１４に固定し、次いで棟瓦支持材１の裾部３における左右の上面にそれぞれ桟瓦１５を
配設して固定し、同桟瓦１５にもかかるように漆喰又はモルタル１０を施工し、さらに、
屋根の棟部Ａの野地板５４の真上に棟瓦１１の頂部がくるように、漆喰又はモルタル１０の上に棟瓦１１を配設して、各々の棟瓦１１の頂部から棟瓦支持材１の棟瓦支持部２の内部まで瓦固定用釘１３を打ち込んで棟瓦１１を野地板１４に固定すればよい。
【００７３】
このように、本考案に係る棟瓦支持材１’を用いて屋根の棟部Ａの施工を行えば、様々
な勾配の屋根にも対応することが可能となる。しかも、この場合でも屋根の棟部構造とし
ては、野地板１４と棟瓦１１との間に棟瓦支持材１とスペーサ８を介設したものへと単純
化され、これにともなって施工も棟瓦支持材１とスペーサ８を同時に野地板１４に固定す
るだけで下地が完成し、これに棟瓦１１を固定することによって棟瓦１１を野地板１４に
留め付けることができ、施工に要する手間を削減した結果、施工時間を短縮できる。
【００７４】
ところで、スペーサ８は、裾部３と棟部Ａの野地板５４との間に介設することによって
様々な勾配の屋根にも対応可能とすることを目的としている。
【００７５】
そこで、図６に示すように、可撓性を有する小片１８をスペーサ８とすることができる
。
【００７６】
すなわち、スペーサ保持部として棟瓦支持材１の裾部３下面に形成した前記左右係合部
４ｂに収まるような大きさに形成した座面２０の一端縁に断面視円弧状の撓み部２１を連
設した構成としている。
【００７７】
このように、スペーサを小片により構成することによって大幅なコスト削減、施工の簡
略化を可能とすることができる。
【００７８】
また、小片１８の底面をなす前記座面２０には粘着テープ１９を装着しており、同粘着
テープ１９により棟瓦支持材１の左右係合部４ｂ，４ｂ内に容易に接着でき、作業性を高
めている。
【００７９】
こうして装着された小片１８からなるスペーサ８は、棟瓦支持材１とともに野地板１４
に固定用釘１２で固定される事によって適度に押し潰されて屋根の棟部Ａの野地板５４に
適した勾配となる。なお、スペーサ８は、勾配に応じて複数重設することができる。（図
７参照）かかる小片１８からなるスペーサ８を具備する棟瓦支持材１’を用いて実際に施工するにあたっては、先ず、図７に示すように裾部３の下面に形成されたスペーサ保持部
としての左右係合部４ｂ,４ｂ内に一定間隔を保持して粘着テープ１９により装着すればよい。
【００８０】
なお、小片１８は棟瓦支持材１の左右係合部４ｂ，４ｂに収まる大きさと形状とし棟瓦
支持材１と一体化しやすくしておけばよく、上記構成に代えて、例えば合成樹脂製のチュ
ーブ状のものを輪切りにしたものなどを用いることができる。
【００８１】
（実施例３）
次に、本考案の他の実施例として、棟瓦を直接支持可能とした棟瓦支持材１”について
以下に説明する。なお、先に説明してきた各実施例と同一構成要素については同一符号を
用いて説明する。
【００８２】
本実施例に係る棟瓦支持材１”は、図８,図９に示すように、充分な高さを有し棟瓦１１を直接支持するようにした棟瓦支持部２”の構造に特徴がある。
【００８３】
そして、同棟瓦支持部２”の下部には、先に説明した構成同様に、略山型形状の裾部３
”を連接して逆Ｙ字形に形成して棟瓦支持体１”ａとしている。
【００８４】
なお、本実施例では、屋根面の勾配に対応可能としたスペーサ８”を備えたものとしている。
【００８５】
前記棟瓦支持部２”の高さは充分に高くなっており、同棟瓦支持体１”ａの上面全体と棟瓦１１の頂部とを連設して直接支持できるようになっており、棟瓦１１を長期間にわたって安定して支持できるようになっている。
【００８６】
これにともなって、裾部３”の下面中央を長手方向に沿って刳り貫いて形成された中央
係合部４”ａも棟瓦支持部２”の上部に瓦固定用釘１３の挿入分を残して伸延し、棟瓦支
持体１”ａの容積を削減しコストダウンを実現している。
【００８７】
従って、中央係合部４”ａと係合するスペーサ８”の主凸部９”ａは必ずしも中央係合
部４”ａと嵌合する必要はなく、棟瓦支持体１”ａとスペーサ８”とをズレを生じること
なく装着しこの状態を保持できる程度の突起であれば良い。
【００８８】
この棟瓦支持材１”を用いた実際の施工例として、その一例を図９に示すが、施工手順
に関しては先に説明した各実施例と何ら変わりがない。ただ、棟瓦支持材１”の棟瓦支持
部２”の上に、棟瓦１１を直接配設している点で異なる。本実施例に係る棟瓦支持材１”
を用いて屋根の棟部Ａの施工を行えば、先に説明した効果に加え、棟瓦支持部２”の高さ
を充分に高くしたことにより、同棟瓦支持体１”ａの上面全体と棟瓦１１の頂部を連設し
て直接支持できるため、棟瓦１１を長期間にわたって安定して支持できる。
【図面の簡単な説明】
【００８９】
【図１】本考案に係る棟瓦支持材の斜視図である。
【図２】本考案に係る棟瓦支持材の断面図である。
【図３】本考案に係る棟瓦支持材を用いた屋根の棟部における構造を示す説明図である。
【図４】棟瓦支持体とスペーサを嵌合させた説明図である。
【図５】棟瓦支持体とスペーサを用いた屋根の棟部における構造を示す説明図である。
【図６】可撓性を有する小片により構成したスペーサの説明図である。
【図７】可撓性を有する小片により構成したスペーサを棟瓦支持体に装着した説明図である。
【図８】本考案に係る直接棟瓦を支持する棟瓦支持体とスペーサを嵌合させた説明図である。
【図９】本考案に係る直接棟瓦を支持する棟瓦支持材を用いた屋根の棟部における構造を示す説明図である。
【図１０】従来の屋根の棟部における構造を示す説明図である。
【符号の説明】
【００９０】
１  棟瓦支持材
２  棟瓦支持部
３  裾部
４ａ  中央係合部
４ｂ  左右係合部
５  裾部側溝部
６  支持部側溝部
８  スペーサ
１１  棟瓦
１４  野地板
１５  桟瓦
【図１】
0003123763.tif 000003
【図２】
0003123763.tif 000004
【図３】
0003123763.tif 000005
【図４】
0003123763.tif 000006
【図５】
0003123763.tif 000007
【図６】
0003123763.tif 000008
【図７】
0003123763.tif 000009
【図８】
0003123763.tif 000010
【図９】
0003123763.tif 000011
【図１０】
0003123763.tif 000012